(57)【要約】【課題】  発電装置を大型化、複雑化することなく、メンテナンスの単純化及び低コストで水道管内の水力を利用し、効率の高い電力を生成する水力を利用した発電装置を提供する。【解決手段】  発電装置内の水車受軸と下段軸受枠及び上段軸受枠で支えられた動力一体部品と複数個の伝達一体部品Ａと伝達一体部品Ｂ及び発電機に単純形成された部品が組み込まれた発電装置の流入口と流出口を水道管の途中に接続し、流路に傾斜角度を設け、水流を動力一体部品の水車の羽根面に水流をあて、この時、発生する回転力を径が大きい伝達歯車と径の小い伝達歯車を噛み合わせることで、効率の高い回転力で発電機を回転させ、電力を生成する仕組みに構成し、メンテナンスも簡単な低コストの水力を利用した発電装置を提供することができる。【選択図】図１
2010014107.tif 000002
【特許請求の範囲】
【請求項１】
発電装置に流入口と流出口を設け、発電装置内に水車・水車伝達軸・水車伝達歯車を一体とした動力一体部品と第１伝達歯車・第１伝達軸・第１直角変換伝達歯車を一体とした伝達一体部品Ａ及び第２直角変換伝達歯車・第２伝達軸を一体とした伝達一体部品Ｂの伝達軸の両端部を支える軸受枠と防水性を有する発電機で構成された、水力を利用した発電装置。
【請求項２】
前記、流入口と流出口を水道管に接続し流路とする、流路内の水流を利用して、前記動力一体部品の水車羽根面に水流をあて回転させる、その回転力を動力一体部品と伝達一体部品Ａ及び伝達一体部品Ｂの伝達歯車で防水性を有する発電機を回転させるように形成し、生成した電力を蓄電池へ送電し蓄電する水力を利用した発電装置。
【請求項３】
前記、伝達一体部品Ａと伝達一体部品Ｂ及び防水性を有する発電機は、それぞれ複数個で形成され、請求項２に記載した水力を利用した発電装置。
【発明の詳細な説明】
【発明の詳細な説明】
【技術分野】
【０００１】  本発明は、水道管内の水流による水圧を利用し、電力を生成する水力を利用した発電装置技術に関する。
【背景技術】
【０００２】  従来の発電装置も水道管内の水流を利用して発電しているが、水道管の径に合わせた発電装置等がある。【０００３】  以下、図９、図１０により、従来の発電装置について説明する。図において、水道管１０７を示し水道管の径に合わせた発電機１１３を接続している。【０００４】  図において、防水処理されたモ−タ−フレ−ム１０１と固定子１０４の内周部に収納された永久磁石１１２を備え、この永久磁石１１２と軸１０９との間に羽根車１１０を回転させ電力を生成する水力発電装置である。【０００５】  図において、回転子１０８の両端に取り付けられた軸受１１４で支持され、水の通り孔が設けられたブラケット１１５、１１６で構成され、水流を案内板１１７により羽根車１１０を回転させ、電力を生成する水力発電装置である。【０００６】
【特許文献１】  特開  ２０００−２１３４４６
【発明の開示】
【発明が解決しようとする課題】
【０００７】  以上に述べた従来の発電装置では、口径の違う水道管に対応することができず、また水道管径に合わせた径の小さな装置内に羽根車や発電機を収納することで複雑になりメンテナンスに対して装置本体を取り替える必要があり、水道管を切断したり、再接続することでコスト高になる。
【課題を解決するための手段】
【０００８】  前記目的を達成するために、本発明は発電装置に流入口と流出口を設け、発電装置内に水車・水車伝達軸・水車伝達歯車を一体とした動力一体部品と第１伝達歯車・第１伝達軸・第１直角変換伝達歯車を一体とした伝達一体部品Ａ及び第２直角変換伝達歯車・第２伝達軸を一体とした伝達一体部品Ｂの伝達軸の両端部を支える軸受枠と防水性を有する発電機で構成されたものである。【０００９】  前記のように構成された、流入口と流出口を水道管に接続し流路とする、流路内の水流を利用して、前記動力一体部品の水車羽根面に水流をあて回転させる、その回転力を動力一体部品と伝達一体部品Ａ及び伝達一体部品Ｂの伝達歯車で防水性を有する発電機を回転させるように形成し、生成した電力を蓄電池へ送電し蓄電するものである。【００１０】  前記、伝達一体部品Ａと伝達一体部品Ｂ及び防水性を有する発電機は、それぞれ複数個で形成され、前記水力を利用したものである。【００１１】  前記、動力一体部品の水車伝達歯車と伝達一体部品Ａの第１伝達歯車の径の相違により回転数が増し、発電効率が高くなるものである。【００１２】  部品を一体部品に簡略化し、なお、装置をネジで分解、組立を可能にしたことでメンテナンスも容易になり、低コストでＣＯ２が発生しない、環境にやさしい発電装置を提供できるものである。
【発明の効果】
【００１３】  上述したように、本発明の水力を利用した発電装置は、簡略化した部品で水力を回転力に変換し、伝達するように形成された発電効果の高い発電装置を提供することができる。
【発明を実施するための最良の形態】
【００１４】  以下、本発明を実施するための最良の形態を図面を参照しながら詳細に説明する。
図１は本発明の全体部材を示す断面図である。流入口２と流出口３を水道管の途中に接続し流路として水流による水圧を利用する。【００１５】  図６に示す、水車６と水車伝達軸７及び水車伝達歯車８は一体部品に形成加工した動力一体部品である。【００１６】  図７に示す、第１伝達歯車１０と第１伝達軸１１及び第１直角変換伝達歯車１２は一体部品に形成加工した伝達一体部品Ａである。【００１７】  図８に示す、第２直角変換伝達歯車１４と第２伝達軸１５は一体部品に形成加工した伝達一体部品Ｂである。【００１８】  前記、動力一体部品は図１に示す、水車受軸４と下段軸受枠９で支持し伝達一体部品Ａは図１に示す、下段軸受枠９と上段軸受枠１３で支持し、伝達一体部品Ｂは図１に示す、上段軸受枠１３と軸ツナギ１６で支持されている。【００１９】  図２に示す、発電装置１の中心軸ａと流入口２及び流出口３の中心軸ｂをずらし、流路に傾斜角度を設け、図６に示す、水車６の羽根面に水流が効率よくあたり動力一体部品が回転する。【００２０】  前記、回転する回転力を図６に示す、動力一体部品の水車伝達歯車８と図７に示す、第１伝達歯車１０を噛み合わせて伝達一体部品Ａを回転させる。【００２１】  前記、回転する回転力を図７に示す、伝達一体部品Ａの第１直角変換伝達歯車１２と図８に示す、第２直角変換伝達歯車１４を噛み合わせて伝達一体部品Ｂを回転させる。【００２２】  前記、回転する回転力を図８に示す、第２伝達軸１５と図４に示す、軸ツナギ１６で発電機１９の軸を連結し回転を伝達する、回転で生成した電力を電線２０により蓄電池へ送電し蓄電する。【００２３】  図３に示す、水車伝達歯車８と第１伝達歯車１０の径の違いで回転数が増す。また、伝達一体部品Ａと伝達一体部品Ｂ及び発電機１９が複数個で形成されていることで生成電力が増大する。【００２４】  発電装置１や下段軸受枠９及び上段軸受枠１３等はネジ２１止めで分解、組立が容易にできメンテナンスに簡単に対応ができる。【００２５】図５に示す、ジョイント管２２を使用することで、共同住宅や複合建物及び工場等の口径の違う水道管に対して充分に対処できる。【００２６】  尚、発電装置内の発電機１９を垂直に設置する場合、直角変換伝達歯車を伝達歯車に変更することで同等の発電装置を提供することができる。
【図面の簡単な説明】
【００２７】
【図１】  水力発電装置の部材を示す断面図である
【図２】  図１におけるＡ−Ａ断面図である
【図３】  図１におけるＢ−Ｂ断面図である
【図４】  図１におけるＣ−Ｃ断面図である
【図５】  ジョイント管断面図である
【図６】  動力一体部品外観図である
【図７】  伝達一体部品Ａ外観図である
【図８】  伝達一体部品Ｂ外観図である
【図９】  従来の発電機の断面図である
【図１０】  従来の発電機のＺ−Ｚ断面図である
【符号の説明】
【００２８】  １  発電装置
２  流入口
３  流出口
４  水車受軸
５  水車浮調整板
６  水車
７  水車伝達軸
８  水車伝達歯車
９  下段軸受枠
１０  第１伝達歯車
１１  第１伝達軸
１２  第１直角変換伝達歯車
１３  上段軸受枠
１４  第２直角変換伝達歯車
１５  第２伝達軸
１６  軸ツナギ
１７  パッキン
１８  受枠押さ板
１９  発電機
２０  電線
２１  ネジ
２２  ジョイント管
【図１】
2010014107.tif 000003
【図２】
2010014107.tif 000004
【図３】
2010014107.tif 000005
【図４】
2010014107.tif 000006
【図５】
2010014107.tif 000007
【図６】
2010014107.tif 000008
【図７】
2010014107.tif 000009
【図８】
2010014107.tif 000010
【図９】
2010014107.tif 000011
【図１０】
2010014107.tif 000012